【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
複数の画像を所定の間隔で一覧表示する画像処理装置であって、
前記画像の回転に対応した回転角度を前記画像のメタデータに書き込む書込手段と、
前記画像の回転角度が直角でない場合、前記画像を縮小してから表示するよう制御する表示制御手段とを備えたことを特徴とする画像処理装置。
【請求項２】
複数の画像を所定の間隔で一覧表示する画像処理装置であって、
前記画像の回転に対応した回転角度を前記画像のメタデータに書き込む書込手段と、
前記画像に回転が施されている場合、前記画像と隣接する画像とが重ならないように、前記隣接する画像を移動してから表示するよう制御する表示制御手段とを備えたことを特徴とする画像処理装置。
【請求項３】
複数の画像を所定の間隔で一覧表示する画像処理装置であって、
前記画像の回転に対応した回転角度を前記画像のメタデータに書き込む書込手段と、
前記画像に回転が施されている場合、前記画像と隣接する画像とが重ならないように、前記隣接する画像を変倍処理してから表示するよう制御する表示制御手段とを備えたことを特徴とする画像処理装置。
【請求項４】
複数の画像を所定の間隔で一覧表示する画像処理装置であって、
前記画像の回転に対応した回転角度を前記画像のメタデータに書き込む書込手段と、
前記画像に回転が施されている場合、前記画像のエリアにカーソルがあると、前記画像を回転させずに表示している状態から、前記画像を回転させて表示するよう制御する表示制御手段とを備えたことを特徴とする画像処理装置。
【請求項５】
複数の画像を所定の間隔で一覧表示する画像処理装置の制御方法であって、
前記画像の回転に対応した回転角度を前記画像のメタデータに書き込む書込工程と、
前記画像の回転角度が直角でない場合、前記画像を縮小してから表示するよう制御する表示制御工程とを有することを特徴とする画像処理装置の制御方法。
【請求項６】
複数の画像を所定の間隔で一覧表示する画像処理装置の制御方法であって、
前記画像の回転に対応した回転角度を前記画像のメタデータに書き込む書込工程と、
前記画像に回転が施されている場合、前記画像と隣接する画像とが重ならないように、前記隣接する画像を移動してから表示するよう制御する表示制御工程とを有することを特徴とする画像処理装置の制御方法。
【請求項７】
複数の画像を所定の間隔で一覧表示する画像処理装置の制御方法であって、
前記画像の回転に対応した回転角度を前記画像のメタデータに書き込む書込工程と、
前記画像に回転が施されている場合、前記画像と隣接する画像とが重ならないように、前記隣接する画像を変倍処理してから表示するよう制御する表示制御工程とを有することを特徴とする画像処理装置の制御方法。
【請求項８】
複数の画像を所定の間隔で一覧表示する画像処理装置の制御方法であって、
前記画像の回転に対応した回転角度を前記画像のメタデータに書き込む書込工程と、
前記画像に回転が施されている場合、前記画像のエリアにカーソルがあると、前記画像を回転させずに表示している状態から、前記画像を回転させて表示するよう制御する表示制御工程とを備えたことを特徴とする画像処理装置の制御方法。
【請求項９】
複数の画像を所定の間隔で一覧表示する画像処理装置の制御方法を実現するための、コンピュータで読み出し可能なプログラムを記憶する記憶媒体であって、
前記プログラムは、
書込手段が、前記画像の回転に対応した回転角度を前記画像のメタデータに書き込むステップと、
前記画像の回転角度が直角でない場合、表示制御手段が、前記画像を縮小してから表示するよう制御するステップとを有することを特徴とする記憶媒体。
【請求項１０】
複数の画像を所定の間隔で一覧表示する画像処理装置の制御方法を実現するための、コンピュータで読み出し可能なプログラムを記憶する記憶媒体であって、
前記プログラムは、
書込手段が、前記画像の回転に対応した回転角度を前記画像のメタデータに書き込むステップと、
前記画像に回転が施されている場合、前記画像と隣接する画像とが重ならないように、表示制御手段が、前記隣接する画像を移動してから表示するよう制御するステップとを有することを特徴とする記憶媒体。
【請求項１１】
複数の画像を所定の間隔で一覧表示する画像処理装置の制御方法を実現するための、コンピュータで読み出し可能なプログラムを記憶する記憶媒体であって、
前記プログラムは、
書込手段が、前記画像の回転に対応した回転角度を前記画像のメタデータに書き込むステップと、
前記画像に回転が施されている場合、表示制御手段が、前記画像と隣接する画像とが重ならないように、前記隣接する画像を変倍処理してから表示するよう制御するステップとを有することを特徴とする記憶媒体。
【請求項１２】
複数の画像を所定の間隔で一覧表示する画像処理装置の制御方法を実現するための、コンピュータで読み出し可能なプログラムを記憶する記憶媒体であって、
前記プログラムは、
書込手段が、前記画像の回転に対応した回転角度を前記画像のメタデータに書き込むステップと、
前記画像に回転が施されている場合、表示制御手段が、前記画像のエリアにカーソルがあると、前記画像を回転させずに表示している状態から、前記画像を回転させて表示するよう制御するステップとを有することを特徴とする記憶媒体。
【手続補正２】
【補正対象書類名】明細書
【補正対象項目名】発明の名称
【補正方法】変更
【補正の内容】
【発明の名称】画像処理装置及びその制御方法、並びに記憶媒体
【手続補正３】
【補正対象書類名】明細書
【補正対象項目名】０００１
【補正方法】変更
【補正の内容】
【０００１】
本発明は、画像情報に対応したサムネイルを表示画面に一覧表示する画像処理装置及びその制御方法、並びに前記制御方法をコンピュータに実行させるプログラムを記憶した記憶媒体に関する。
【手続補正４】
【補正対象書類名】明細書
【補正対象項目名】０００７
【補正方法】変更
【補正の内容】
【０００７】
本発明は上記従来の問題点に鑑み、画像情報に対応したサムネイルの一覧表示において、サムネイルに自由回転が施されている場合でも、サムネイルの内容確認に支障を来さないようにした画像処理装置及びその制御方法、並びに記憶媒体を提供することを目的とする。
【手続補正５】
【補正対象書類名】明細書
【補正対象項目名】０００８
【補正方法】変更
【補正の内容】
【０００８】
上記目的を達成するため、本発明の画像処理装置は、複数の画像を所定の間隔で一覧表示する画像処理装置であって、前記画像の回転に対応した回転角度を前記画像のメタデータに書き込む書込手段と、前記画像の回転角度が直角でない場合、前記画像を縮小してから表示するよう制御する表示制御手段とを備えたことを特徴とする。
また、本発明の画像処理装置は、複数の画像を所定の間隔で一覧表示する画像処理装置であって、前記画像の回転に対応した回転角度を前記画像のメタデータに書き込む書込手段と、前記画像に回転が施されている場合、前記画像と隣接する画像とが重ならないように、前記隣接する画像を移動してから表示するよう制御する表示制御手段とを備えたことを特徴とする。
また、本発明の画像処理装置は、複数の画像を所定の間隔で一覧表示する画像処理装置であって、前記画像の回転に対応した回転角度を前記画像のメタデータに書き込む書込手段と、前記画像に回転が施されている場合、前記画像と隣接する画像とが重ならないように、前記隣接する画像を変倍処理してから表示するよう制御する表示制御手段とを備えたことを特徴とする。
また、本発明の画像処理装置は、複数の画像を所定の間隔で一覧表示する画像処理装置であって、前記画像の回転に対応した回転角度を前記画像のメタデータに書き込む書込手段と、前記画像に回転が施されている場合、前記画像のエリアにカーソルがあると、前記画像を回転させずに表示している状態から、前記画像を回転させて表示するよう制御する表示制御手段とを備えたことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】